(57)【要約】【課題】下半身成形衣料本体の編成において、編成方法を部分的に変更し、下半身成形衣料本体編地に段差を生ぜしめることなく、腹部を押さえ、ヒップアップ効果を有する成形衣料を構成する。【解決手段】伸び率の低い編地で編成した部片、伸び率の低い編地の編成時に糸を挿入した最も伸び率の低い編地部片、伸び率が高い編地で編成した部片の三段階の伸び率を有する編地部片によって下半身成形衣料本体を構成し、腹部押さえ部、腰部支持部を設けることにより、下半身成形衣料に身体補整効果を持たせた。【選択図】図１
0003155508.tif 000002
【実用新案登録請求の範囲】
【請求項１】
下半身成形衣料本体を、伸び率の低い編地で編成した部片、伸び率の低い編地の編成時に編糸と挿入糸を引き揃えて編成した最も伸び率の低い編地部片、伸び率が高い編地で編成した部片の三段階の伸び率を有する編地部片によって構成してなる下半身成形衣料。
【請求項２】
下半身成形衣料本体前身頃のウエストからクロッチ部に至る腹部押さえ部と、下半身成形衣料本体後身頃のウエストからヒップ上縁に至る帯状部分とをもっとも伸び率の低い編地部片で構成し、下半身成形衣料後身頃のヒップ外周下方より裾口に至るヒップ支持部片を伸び率の低い編地で構成し、前身頃脚部と後身頃ヒップ部片、クロッチ布部片を伸び率が最も高い編地で構成してなる請求項１に記載の下半身成形衣料。
【請求項３】
下半身成形衣料前身頃のウエストからクロッチ部に至る腹部押さえ部と、下半身成形衣料後身頃のウエストからヒップ上縁に至る帯状部分のもっとも伸び率の低い編地部片を、編糸と挿入糸を引き揃えて編成して構成することを特徴とする請求項２に記載の下半身成形衣料。
【請求項４】
挿入糸がウーリー加工糸であることを特徴とする請求項３に記載の下半身成形衣料。
【請求項５】
編糸が繊維長の長い綿糸であることを特徴とする請求項１乃至請求項４のいずれかに記載の下半身成形衣料。 
【考案の詳細な説明】
【技術分野】
【０００１】
本考案は、編組織を部分的に変えて編成し、所望の伸びを有する編地を配してなる下半身成形衣料に関する。
【背景技術】
【０００２】
衣料、特に婦人用の人体に直接又は間接的に沿う状態で着用される衣類においては、着用時に肌触りや身体へのフィット感と共に、身体補整機能を有することが好まれる。その為、編成方法を部分的に変更して異なる組織の編地としたり、伸縮性を有する素材を使用して伸縮性素材を衣料本体に部分的に重ね、又は縫合して補整機能を具備させることが行われている。
【０００３】
整形用ガードルは、通常ウエスト部位から下方の下腹部、即ち、腰部、腹部、臀部、大腿部などの外観を美しく整える目的で使用されている。例えば、ボトム下着として、複数本の糸条を合わせたプレーティング編によりガードルを編成し、後身面に、フロート編み組織で上端部が後身面の全幅にわたって延びる略エ字形ヒップ引上部を設け、前記ヒップ引上部の上端縁を全幅にわたってウエストバンドに接合し、ヒップ引上部の下縁を密な組織のヒップ持上部に接合し、前記略エ字形ヒップ引上部内周縁及びヒップ持上部の上縁によって囲まれたヒップ部の編目を粗くしてわん状に膨出させた下着が知られている（特許文献１）。
【０００４】
また、所定のヤーン伸長率を有するエラスチックヤーンを使用し、丸編み又は平編みによって部位毎に伸び率の異なる５つの編み組織を組み合わせて構成したガードルも開示されている（特許文献２）。このガードルを構成する異なる伸び率からなる編み組織は、丸編みにより所定の部分の伸び率を変えながら編み上げられ、モールド加工を行って体型補整機能を高めることが記載されている。しかしながら、特許文献１に記載の上記した複数本の糸条を合わせたプレーティング編により編成し、後身面に、フロート編み組織で上端部が後身面の全幅にわたって延びる略エ字形ヒップ引上部を設けたボトム下着は、ヒップ引上効果を得ることは出来るが、腹部を抑える機能は不十分である。同様に、特許文献２に記載の一定のヤーン伸長率を有するエラスチックヤーンを使用して５つの編み組織を組み合わせて構成したガードルにおいても、ガードルの前側腹部を最も伸び率の少ない組織で編成しているが、腹部を抑える効果は不十分である。また、各部位の伸長率を５段階に変更しながら編成することは、きわめて煩雑な設定が必要となる。
【先行技術文献】
【特許文献】
【０００５】
【特許文献１】実用新案登録公報第２５３３１６７号
【特許文献２】特許第３６４１３５９号公報
【考案の概要】
【考案が解決しようとする課題】
【０００６】
本考案における下半身成形衣料は、ショーツ、ガードル、スパッツ、レギンス等として直接肌に接する状態で着用でき、しかもソフトガードルとしての機能をも兼ね備えた成形衣料を言う。本考案は、女性用成形衣料において、衣料本体の編成において、編成する編地を部分的に変更し、衣料本体編地に段差を生ぜしめることなく腹部を押さえ、ヒップアップ効果を有する衣類を得ることを目的とする。更に、本出願の考案においては、衣類本体地を平坦に編成するのみでなく、直接肌に接して着用するのみで身体補整機能をも達成することが可能な成形衣料とした。
【課題を解決するための手段】
【０００７】
請求項１に記載の本考案成形衣料は、伸び率の低い編地で編成した部片、伸び率の低い編地の編成時に更に糸を挿入して編成した最も伸び率の低い編地部片、伸び率が高い編地で編成した部片の三段階の伸び率を有する編地部片によって成形衣料本体を構成した。
請求項２に記載の本考案は、衣料本体前身頃のウエストからクロッチ部に至る腹部押さえ部と、衣料本体後身頃のウエストからヒップ上縁に至る帯状部分とをもっとも伸び率の低い編地部片で構成し、衣料本体後身頃のヒップ外周下方より裾口に至るヒップ支持部片を伸び率の低い編地で構成し、前身頃脚部と後身頃ヒップ部片、クロッチ布部片を伸び率が最も高い編地とする。
請求項３に記載の本考案は、衣料本体前身頃のウエストからクロッチ部に至る腹部押さえ部と、衣料本体後身頃のウエストからヒップ上縁に至る帯状部分とをもっとも伸び率の低い編地の編成を、編糸と挿入糸を引き揃えて編成した編地で構成するものである。
請求項４に記載の本考案は、挿入糸がウーリー加工糸であることを特徴とする成形衣料であり、請求項５に記載の本考案は、編糸が繊維長の長い綿糸であることを特徴とする成形衣料である。
【考案の効果】
【０００８】
本考案の成形衣料は、着用時の肌触りも考慮して、直接肌に接して着用するのみで身体補整機能をも達成することが可能な成形衣料とした。衣料本体の編成においては、編成する編地を部分的に変更し、衣料本体編地に段差を生ぜしめることなく、腹部を押さえ、ヒップアップ効果を有する衣料を得ることが出来た。即ち、編成時に部分的に編み組織を変更するのみでなく、挿入糸を編み地に挿入することにより、衣料本体前面にウエスト部からクロッチ布にかけて幅が狭くなる腹部押さえ部を、衣料本体後身頃のウエストからヒップ上縁に至る帯状部分を伸び率の低い編地として編成しているので、腹部を押さえると共にヒップアップ効果を有する。
【図面の簡単な説明】
【０００９】
【図１】図１は、本考案の成形衣料の一例である成形ショーツ前身頃を示す正面図である。
【図２】図２は、図１に示した成形ショーツの後身頃を示す背面図である。
【図３】図３は、成形ショーツに縫着されるクロッチ布の展開図である。
【考案を実施するための形態】
【００１０】
本考案における下半身成形衣料は、上記のようにショーツ、ガードル、スパッツ、レギンス等を含むものであるが、一例としてガードルとしても兼用することの出来る成形ショーツについて、図面と共に説明する。
ショーツ本体１において形成される緊締作用を有する部位についてまず説明する。
前身頃２のウエスト線４から、前身頃２と後身頃３を股下で結合するクロッチ部５との接合部６に至る逆三角形状の腹部押さえ部７と、ショーツ本体後身頃３のウエスト線４からヒップ凸部を覆うヒップ膨出部８の上縁に至る帯状部分９とを、もっとも伸び率の低い編地部片で構成し、緊迫力を大きく編成して腹部の突出を押さえると共にウエストを引き締める。この部分の編地を編成する際には、身生地の編成に使用する編糸に加え、同じ糸または、任意の糸を引き揃えて編成することにより、より編地の伸縮力を小さくし緊迫力を高めることが出来る。伸び率の低い編地としては、例えばハード鹿の子で編成を行うことが出来る。
【００１１】
次に、ショーツ本体１の後身頃３には、帯状部分９に接するヒップ膨出部８の周縁１０を取り囲みクロッチ布５端部１１に至るヒップ保持部１３を設け、ヒップ保持部１３を伸び率の低い編地で構成する。ヒップ保持部１３は、後身頃脇線１５，１５近辺の任意の箇所まで延びていることが好ましい。この部分は、前記緊締作用を有する部位よりは伸び率の低い、緊締力の弱い編地、例えばハード鹿の子で挿入糸がなく、伸び率が糸挿入部分と下記の伸び率が最も高い編地の中間になるように編成され、ヒップ周縁１０を囲み、前記帯状部分９に接合しているのでヒップを上方に持ち上げる作用を有する。前身頃２の左右脚部１６，１６及び後身頃の臀部を覆うヒップ膨出部８、クロッチ布５は伸び率が最も高い編地、例えばプレーン天竺編、メッシュ編み等の編地で構成し、ショーツが着用者の身体形状に沿うソフトな編地で構成する。
【００１２】
本考案のショーツの編成は、綿糸の場合は、超長綿糸を用いることが好ましいが、綿糸に限定されるものではない。また、編地の伸縮力を小さくするために、編成時に挿入する挿入糸としては、ナイロン、テトロン等のウーリー加工糸を用いることが好ましい。ウーリー加工糸は、編地に挿入した場合、抵抗が大きく素抜けし難いという効果がある。腹部押さえ部７と、ショーツ本体後身頃３のウエスト線４に沿って設けられた帯状部分９は、挿入糸を挿入することで厚地に編成され、伸縮力を小さくし緊迫力を高める作用を有し、腹部の突出を引き締め、ウエスト部分を細く引き締める効果を生じる。
【００１３】
また、本考案成形ショーツにおいては、ウエストをウエスト線４で折り返し、リンキングで処理をしている。しかしながら、ウエスト線４に伸縮性ベルトを縫着して処理することも出来る。  脚部１６，１６は、長めに編成してスパッツ、レギンスとすることもできる。裾口は折り返し又は伸縮性テープ、バイヤス布等の縫着により、適宜従来法により処理する。上記下半身成形衣料については、ショーツを例として説明をしているが、本考案は、ショーツ以外の上記構成を有する衣料をも含むことは言うまでもない。
【産業上の利用可能性】
【００１４】
本考案の下半身成形衣料は、成形衣料本体に緊迫力の強い組織で編成された部分と、緊迫力の強い組織で編成すると共に、挿入糸を挿入することにより、更に強い緊迫力を有する部分と、緊迫力の弱い部分とが形成されるようにして編成された成形衣料である。従って、衣料本体は、編地のみで構成されているので肌触りが良く肌になじみ易いものであり、しかも緊締力の強い腹部押さえ部と、ウエスト引き締め帯を有し、ヒップ面、ヒップ下部、脚部とを伸び率が低い編地で編成しているので、着用感に勝れた下半身成形衣料である。
【符号の説明】
【００１５】
１  ショーツ本体
２  前身頃
３  後身頃
４  ウエスト線
５  クロッチ部
６  クロッチ布接合部
７  腹部押さえ部
８  ヒップ膨出部
９  帯状部分
１０  膨出部周縁
１１  クロッチ布端部
１３  ヒップ保持部
１４  裾口
１５  脇線
１６  左右脚部 
【図１】
0003155508.tif 000003
【図２】
0003155508.tif 000004
【図３】
0003155508.tif 000005